(57)【要約】  吸収性物品は、第１本体部分、第２本体部分、及び第１本体部分と第２本体部分との間に配置された股部分を含む。第１本体部分又は第２本体部分のうちの少なくとも一方は、多層部分を有する少なくとも１つの側部パネルを含む。多層部分は少なくとも第１の層と第２の層とを含む。多層部分は、少なくとも１つの側部パネルを折り畳むことによって得られる。多層部分の第１の層及び第２の層は互いに対して接続され、多層部分には、多層部分の一方の表面に表面突起が設けられる。表面突起は、多層部分の材料から一体的に成る。さらに、本開示はそのような吸収性物品の製造に関する。【特許請求の範囲】
【請求項１】
長手方向（Ｙ）、前記長手方向（Ｙ）に沿って延びる長手方向中央線（１０２）、及び横方向（Ｘ）を有する吸収性物品（１００）であって、該吸収性物品（１００）は、第１本体部分（１０４）、第２本体部分（１０６）、及び前記第１本体部分（１０４）と前記第２本体部分（１０６）との間に配置された股部分（１０８）を備え、前記第１本体部分（１０４）及び前記第２本体部分（１０６）のうちの少なくとも一方は、少なくとも１つの側部パネル（１１２、１１４、１１６、１１８）を備えるか、又は少なくとも１つの側部パネル（１１２、１１４、１１６、１１８）を設けられるように適合され、前記少なくとも１つの側部パネル（１１２、１１４、１１６、１１８）は少なくとも１つの多層部分（１２２）を備え、前記少なくとも１つの多層部分（１２２）は、少なくとも第１の層（１２４）及び第２の層（１２６）を備え、前記少なくとも１つの多層部分は第１表面（１２８）及び第２表面（１３０）を備え、前記少なくとも１つの多層部分（１２２）は、前記側部パネル（１１２、１１４、１１６、１１８）を折り畳むことによって得られ、前記少なくとも１つの多層部分（１２２）の前記第１の層（１２４）及び前記第２の層（１２６）は互いに対して接続され、前記少なくとも１つの多層部分（１２２）の前記第１表面（１２８）の少なくとも一部には表面突起（１３２）が設けられ、前記表面突起（１３２）は、前記少なくとも１つの多層部分（１２２）の前記第１の層（１２４）及び前記第２の層（１２６）の材料から一体に作られている、吸収性物品（１００）。
【請求項２】
前記少なくとも１つの多層部分（１２２）は、前記少なくとも１つの多層部分（１２２）の前記第１の層及び前記第２の層を同時に接続するとともに、前記少なくとも１つの多層部分（１２２）に前記表面突起（１３２）が設けられるように軟化及び成形工程にかけられることを特徴とする請求項１に記載の吸収性物品。
【請求項３】
前記表面突起（１３２）は前記吸収性物品（１００）のランディングゾーンに固定されるように適合されることを特徴とする請求項１又は２に記載の吸収性物品（１００）。
【請求項４】
前記少なくとも１つの多層部分（１２２）はＺ字状折り畳み部分を備えることを特徴とする請求項１〜３のいずれか一項に記載の吸収性物品（１００）。
【請求項５】
前記少なくとも１つの多層部分（１２２）は、前記少なくとも１つの側部パネル（１１２、１１４、１１６、１１８）の少なくとも一部を前記長手方向中央線（１０２）に向かって折り畳むことによって得られた多層横方向側部を備えることを特徴とする請求項１〜４のいずれか一項に記載の吸収性物品（１００）。
【請求項６】
前記多層部分（１２２）の前記第２表面（１３０）には可視表示（１３４）が設けられ、該可視表示（１３４）は前記軟化及び成形工程によって得られることを特徴とする請求項２〜５のいずれか一項に記載の吸収性物品（１００）。
【請求項７】
前記表面突起（１３２）は、ピン、ストレートピン、アングルピン、湾曲ピン、テーパ付きピン、リム付き又はマルチリム付きピン、フック、リム付き又はマルチリム付きフック、マッシュルーム形状の突起、又はヤシの木状突起を備えることを特徴とする請求項１〜６のいずれか一項に記載の吸収性物品（１００）。
【請求項８】
前記少なくとも１つの多層部分（１２２）は、少なくとも第１の層（１２４）、第２の層（１２６）、及び第３の層（１２７）を備えることを特徴とする請求項１〜７のいずれか一項に記載の吸収性物品。
【請求項９】
前記吸収性物品（１００）は、パンツ式おむつ、ベルト式おむつ、又は一体型おむつを備えることを特徴とする請求項１〜８のいずれか一項に記載の吸収性物品（１００）。
【請求項１０】
吸収性物品（１００）を製造する方法であって、
‐吸収性物品（１００）を提供するステップであって、前記吸収性物品（１００）は、長手方向（Ｙ）、前記長手方向（Ｙ）に沿って延びる長手方向中央線（１０２）、及び横方向（Ｘ）を有し、前記吸収性物品（１００）は第１本体部分（１０４）、第２本体部分（１０６）、及び前記第１本体部分（１０４）と前記第２本体部分（１０６）との間に配置された股部分（１０８）を備え、前記第１本体部分（１０４）及び前記第２本体部分（１０６）の少なくとも一方は少なくとも１つの側部パネル（１１６、１１８）を備えるか、又は前記第１本体部分（１０４）及び前記第２本体部分（１０６）のうちの少なくとも一方には少なくとも１つの側部パネル（１１６、１１８）が設けられるように適合されている、ステップ；
‐前記少なくとも１つの側部パネルを折り畳むことによって、前記少なくとも１つの側部パネル（１１６、１１８）に少なくとも１つの多層部分（１２２）を設けるステップであって、前記少なくとも１つの多層部分（１２２）は少なくとも第１の層（１２４）及び第２の層（１２６）を備えるとともに、第１表面（１２８）及び第２表面（１３０）を備える、ステップ；
‐複数の空洞（３０２）を設けられた表面（３０１）を備える成形型（３００）を提供するステップであって、前記空洞（３０２）の少なくともいくつかが、表面突起（１３２）を生成するための形状を備える、ステップ；
‐前記少なくとも１つの側部パネル（１１６、１１８）の前記少なくとも１つの多層部分（１２２）の前記第１表面（１２８）を、複数の空洞（３０２）を設けられた前記成形型（３００）の前記表面（３０１）に接触させるステップ；及び
‐前記第１の層（１２４）が前記第２の層（１２６）に接続するとともに、前記少なくとも１つの多層部分（１２２）の材料が前記空洞（３０２）の中に押し込まれて、前記多層部分（１２２）の前記第１表面（１２８）に表面突起（１３２）を設けるような方法で、前記少なくとも１つの多層部分（１２２）の少なくともと一部を軟化し、かつ形成するために、前記少なくとも１つの多層部分（１２２）にエネルギーを加えるステップ
を備える、方法。
【請求項１１】
前記エネルギーは、誘導加熱、超音波振動、マイクロ波、及び赤外線波から成る群から選択されたエネルギー源によって加えられることを特徴とする請求項１０に記載の方法。
【発明の詳細な説明】
【技術分野】
【０００１】
本発明は改良された固定システムを有する吸収性物品に関する。また、本発明はそのような吸収性物品を製造する方法にも関する。
【背景技術】
【０００２】
吸収性物品の接続部又は結合部のため、及び／又は吸収性物品を吸収性物品の着用者上に固定するための様々なタイプの固定システムが当業において知られている。吸収性物品の容易な取り外し及び／又は使用中の吸収性物品の容易な調節が強く望まれている。
【０００３】
固定システムの例は、接着テープ及び面ファスナー（ｈｏｏｋ−ａｎｄ−ｌｏｏｐ）固定システムを備える。面ファスナー固定システムは、例えば商標Ｖｅｌｃｒｏ（登録商標）の下で販売されている。面ファスナーは一般的に、固定される対向面に取り付けられる（縫い付け、糊付け、熱シール等）２つのストリップを備える。第１ストリップはフックを備え、第２ストリップはループを備える。２つのストリップがともに押し付けられるとき、フックはループ中に留められ、２つのストリップは固定される。
【０００４】
２つのストリップは、熱可塑性溶融物の押出又は射出によって別々のプロセスにおいて製造される。そのようなストリップの製造プロセスは、例えばプロセスが高価な装置及び高いエネルギー消費を必要とするので、高価となる。そのような面ファスナーシステムは、十分な柔軟性及び柔らかさを提供することがなく、着用者に不快感を生じさせる場合があるので、さらなる欠点を有する。さらに、そのような面ファスナーシステムの縁部及び角部は、使用中に着用者に対して不注意に擦れを生じる場合があり、不快感を生じさせる。
【０００５】
したがって、本発明の前には、吸収性物品のための改良された固定システムに対する必要があった。
【先行技術文献】
【特許文献】
【０００６】
【特許文献１】独国特許発明第１０１０２５０１号明細書
【特許文献２】米国特許第８７８４７２２号明細書
【発明の概要】
【発明が解決しようとする課題】
【０００７】
改良された固定システムを有する吸収性物品を提供することが本開示の目的である。
【０００８】
製造が経済的である吸収性物品を提供することが本開示のまた別の目的である。着用中の望ましいときに、緩めるか又は締めることができる吸収性物品を提供することが本開示のさらなる目的である。
【０００９】
吸収性物品の着用者に過度の不快感を生じさせることがない吸収性物品を提供することが、本開示のまたさらなる目的である。
【００１０】
さらに、そのような吸収性物品を製造する方法を提供することが、本開示の目的である。
【課題を解決するための手段】
【００１１】
本開示の第１の観点によれば、改良された固定システムを有する吸収性物品が提供される。吸収性物品は、長手方向、この長手方向に沿って延びる長手方向中央線、及び横方向を有し、第１本体部分、第２本体部分、及び前記第１本体部分と前記第２本体部分との間に配置された股部分を備える。第１本体部分は例えば前部分を備え、一方で第２本体部分は後部分を備えるか、又は第２本体部分が前部分を備え、一方で第１本体部分が後部分を備える。好ましくは、第１本体部分及び／又は第２本体部分は腰部分を備える。第１本体部分又は第２本体部分のうちの少なくとも一方は、少なくとも１つの側部パネルを備えるか、又は少なくとも１つの側部パネルを設けられるように適合される。この少なくとも１つの側部パネルは横方向側縁を備えるとともに、少なくとも１つの多層部分を備える。この少なくとも１つの多層部分は、少なくとも第１の層及び第２の層を備えるとともに第１表面及び第２表面を備える。少なくとも１つの多層部分は、好ましくは側部パネル又は側部パネルの一部を折り畳むことによって得られる。好ましくは、少なくとも１つの多層部分の異なる層は互いに対して接続される。少なくとも１つの多層部分の第１表面の少なくとも一部には、表面突起が設けられる。表面突起は多層部分の材料、すなわち多層部分の第１の層及び第２の層の材料から一体に作られる。場合によっては、少なくとも１つの多層部分の第２表面にも表面突起を設けることができる。
【００１２】
好ましくは、少なくとも１つの多層部分の異なる層は互いに対して接続され、少なくとも１つの多層部分の第１表面の少なくとも一部上の表面突起は、軟化及び成形工程によって得られる。  好ましくは、少なくとも１つの多層部分は、多層部分の層を同時に接続するため、及び少なくとも１つの多層部分の第１表面の少なくとも一部に表面突起を設けるために、軟化及び成形工程にかけられる。
【００１３】
「吸収性物品」は、身体浸出液を吸収し、かつ含有する、消費者製品を参照し、より具体的には、着用者の身体に対して、又は着用者の身体に近接して配置されて、身体から排出される様々な浸出液を吸収し、含有する製品を参照する。吸収性物品は、例えば、おむつ及び失禁用装置を備える。おむつは例えば、一体型おむつ、パンツ式おむつ、及びベルト式おむつを備える。おむつは、赤ちゃん用、幼児用、又は大人用のおむつとすることができる。
【００１４】
いわゆる一体型おむつは、おむつが使用者の腰部の周りに適用されるときに、おむつの前部及び後部がそれによって接合される固定タブを含むことを特徴とする。
【００１５】
いわゆるパンツ式おむつは、おむつの前部と後部とが腰部において接合されることを特徴とする。このタイプのおむつは、パンツと全く同じように、すなわち使用者の脚を超えて引き上げられるように、使用者に着用されることを意図されている。パンツ式おむつの腰部における接合部は、使用者からパンツ式おむつを取り外すために通常は破られることができ、それによってパンツ式おむつを取り外す際に、使用者の脚及び足を超えてパンツを引き下ろす必要がない。パンツ式おむつは通常、腰区画及び脚開口部周りの両方に弾性領域を備える。再固定手段によって開くことができるとともに再び閉じることができるパンツ式おむつもまた存在する。そのようなパンツ式おむつは、例えば物品の内容物をチェックするため、又は物品の幅を調節するために開くことができ、次いでその後に再び閉じることができる。
【００１６】
いわゆるベルト式おむつは、おむつの吸収性部分に対して横方向に方向付けられるとともに、本体又は吸収性部分に一体に取り付けられたベルトを備えることを特徴とする。ベルトは、本体又は吸収性部分の、後端部又は前端部のいずれかの側に延びる２つのベルト部分を有することができる。ベルト式おむつを着用するときには、２つのベルト部分が最初のステップにおいて着用者の腰部の周りに固定されることを意図されている。ベルト式おむつの吸収性部分の前端部又は後端部は、着用者の脚の間でベルトから垂れ下がる。一旦、ベルト部分が共に接合されると、吸収性部分は使用者の脚の間に導かれ、ベルトに固定され、ベルトは、その横方向自由端縁によっておむつの吸収性部分上に配置された固定要素に貼りつくことを意図された固定表面を備える。このタイプの物品は、認知症又はその種の症状を有する場合のある患者の世話をする介護者にとって特に有益である。また別のタイプのベルト式おむつは、２部分式であり、別々のベルト及び別々の吸収構造を備える。使用の際には、ベルトは使用者の腰部の周りに固定され、続いて吸収性構造がベルトの外側に、面ファスナー要素又は吸収性構造の角部におけるテープ要素によって接合される。
【００１７】
本開示による吸収性物品は、使い捨て式物品又は使い捨て式ではない物品とすることができる。用語「使い捨て式の」は、一般的に洗濯されるか又は別様に再保管されること、又は吸収性物品として再使用することを意図されない、例えば一回の使用の後に廃棄され、再生され、堆肥化され、又は別様に環境適合性の態様で廃棄されることを意図された吸収性物品を記述するために使用される。
【００１８】
用語「長手方向の」又は「長手方向に」は、長手方向又は縦方向、特に物品の第１本体部と第２本体部との間、又は使用者の前部と後部との間に延びる方向に関する。
【００１９】
用語「横方向の」又は「横方向に」は、幅又は幅方向に関し、長手方向に垂直な方向に対応する。横方向は側部から側部へと、特に使用者の左から右へ延び、また逆も同様である。
【００２０】
上述したように、本発明による吸収性物品の少なくとも１つの側部パネルには、少なくとも１つの多層部分が設けられる。側部パネルは、第２本体部分の第１の部分とすることができるか、又は第１本体部分又は第２本体部分の横方向延在部、例えば固定タブまたはベルト部分とすることができる。側部パネルは、例えば第１本体部分又は第２本体部分に糊付けするか又は溶着することができる。
【００２１】
少なくとも１つの多層部分は少なくとも２つの層、すなわち少なくとも第１の層及び第２の層を備える。特定の実施形態では、多層横方向側部は３つ、４つ、５つ、又はさらに多くの層を備える。
【００２２】
場合により、側部パネルには１つ以上の多層部分、例えば２つ、３つ、４つ、５つ、又はより多くの多層部分が設けられる。
【００２３】
多層部分は、側部パネルを折り畳むことによって、又は側部パネルの一部を折り畳むことによって得ることができる。側部パネルの折り畳みのいずれのタイプも考えることができる。
【００２４】
例示は単一折り畳み、２回折り畳み、及びＺ字状折り畳みのようなアコーディオン折り畳みを備える。単一折り畳みによって２つの層を備える多層部分が得られ、２回折り畳みによって４つの層を備える多層部分が得られ、アコーディオン折り畳みによって４層以上の層を備える多層部分が得られ、Ｚ字状折り畳みによって３つの層を備える多層部分が得られる。
【００２５】
側部パネルを第１本体部分又は第２本体部分に取り付ける前に、少なくとも１つの多層部分を側部パネルに設けることができる。代替的に、吸収性物品の製造プロセス中に、側部パネルに少なくとも１つの多層部分を並べて設けることが可能である。
【００２６】
特定の一実施形態では、多層部分は側部パネルの少なくとも一部（例えば、側部パネルの横方向側部部分）を長手方向中央線に向かって、すなわち長手方向中央線に向かって内側方向に折り畳むことによって得られる。そのような実施形態では、多層部分は多層横方向側部を備える。多層横方向側部が側部パネルの一部、例えば側部パネルの横方向部分を、長手方向中央線に沿って、又は実質的に長手方向中央線に平行に、長手方向中央線に向かって折り畳むことによって得られることが好ましい場合がある。多層横方向側部が２つ以上の層を備える場合には、多層横方向側部は好ましくは、側部パネル又は側部パネルの一部を２回折り畳み又は３回折り畳みすることによって得られる。
【００２７】
また別の一実施形態では、多層部分は、側部パネルの一部、側部パネルの横方向側部に位置する部分のいずれか、又は側部パネルの中央部分を、アコーディオン折り畳み、例えばＺ字状に折り畳むことによって得られる。
【００２８】
側部パネルが、１つ以上のアコーディオン折り畳みされた部分、例えばＺ字状折り畳みされた多層部分を備えることは明白である。
【００２９】
側部パネルに少なくとも１つの多層部分を設けることによって側部パネルに存在する材料は局部的に増加し、それによってより多くの材料が側部パネルに表面突起を設けるために存在する。側部パネルに少なくとも１つの多層部分を設けることによって、より小さい坪量を有する側部パネル（例えばベルト）を使用することができる。
【００３０】
さらに、少なくとも１つの多層部分は、介護者が吸収性製品の開放部を見つけること、並びに表面突起をランディングゾーンに固定すること又は表面突起をランディングゾーンから取り除くことを容易にする、指で持ち上げる部分として機能することができる。表面突起は、ランディングゾーンと称される吸収性物品の領域に固定されるように適合される。多層部分は、表面突起が縁部から小さな距離に、例えば側部パネルの横方向側縁から小さな距離に配置されている場合に、指で持ち上げる部分として特に好適である。表面突起を側部パネルの横方向側縁から所定の距離に配置することによって、多層部分の一部がランディングゾーンに接続することはない。使用者は、その指によって指で持ち上げる部分を把持することを許容される。
【００３１】
上述したように、少なくとも１つの多層部分は、少なくとも１つの多層部分の異なる層を同時に接続するため、及び少なくとも１つの多層部分の第１表面の少なくとも一部に表面突起を設けるために、軟化及び成形工程にかけられる。場合により、少なくとも１つの多層部分の第２表面にもまた表面突起が設けられる。表面突起は、多層部分の層の材料から一体に作られる。表面突起が多層部分の材料から一体に作られるので、表面突起、例えばフックが吸収性物品の使用中に緩むリスクがない。このことは、当業において既知であるフックを設けられた吸収性物品と比較して重要な利点である。
【００３２】
表面突起は、ランディイングゾーンと称される吸収性物品の領域に固定されるように適合される。ランティングゾーンとしては、表面突起に係合する、好ましくは開放可能に係合することができるいずれのタイプのゾーンを考えることができる。ランディングゾーンは、吸収性物品に、例えば吸収性物品の１つ以上の側部パネルに、取り付けられたゾーンとすることができる。例示は、例えば糊付け、溶融、又は縫い付けによって吸収性物品に取り付けられたループパッチ又は不織布、織布又は織られたパッチを備える。代替的に、吸収性物品の材料、又は吸収性物品の一部の材料、例えば１つ以上の側部パネルの材料は、例えば吸収性物品又は吸収性物品の一部、例えば１つ以上の側部パネルが不織布を備える場合には、ランディングゾーンとして作用することができる。
【００３３】
表面突起はいずれの形状を有することもできる。表面突起の好ましい例はピン、例えばストレートピン、アングルピン、湾曲ピン、テーパ付きピン、リム付き又はマルチリム付きピン、フック、リム付き又はマルチリム付きフック、マッシュルーム形状の突起、又はヤシの木状突起を備える。表面突起は、円形状、楕円形状、正方形状、長方形状、多角形状のようないずれのタイプの断面を有することができる。表面突出部は、好ましくはソリッドコーナーを有する。
【００３４】
１つの多層部分内では、すべての表面突起は同じ形状を有することができる。代替的に、１つの多層部分は表面突起のいくつかの異なる形状を備えることができる。吸収性物品の側部パネルが、表面突起を設けられたいくつかの多層部分を有するとき、異なる多層部分は同じ形状の表面突起を有することができるか、又は異なる多層部分は異なる形状の表面突起を有することができる。
【００３５】
表面突起の数は、好ましくはｃｍ２あたり１００〜５００の表面突起、より好ましくはｃｍ２あたり１６６〜４０８の表面突起の範囲である。
【００３６】
１つの多層部分内では、ｃｍ２当たりの表面突起の数は一定とすることができ、表面突起の数は多層部分に亘って変化させることができる。
【００３７】
吸収性物品の側部パネルが表面突起を設けられたいくつかの多層部分を有するときには、異なる多層部分は異なるｃｍ２あたりの同じ数の表面突起を有することができるか、又は異なる多層部分は異なるｃｍ２あたりの数の表面突起を有することができる。
【００３８】
好ましい実施形態では、少なくとも１つの多層部分の第２表面には少なくとも１つの可視表示が設けられる。少なくとも１つの可視表示は、好ましくは、多層部分の異なる層を互いに対して接続するため、及び多層部分に表面突起を設けるための軟化及び成形工程によって得られる。これは、１つの工程が、多層部分の異なる層を接続し、多層部分にその第１表面において表面突起を設け、多層部分に第２表面において少なくとも１つの可視表示を設けることを可能にすることを意味する。
【００３９】
多層部分の第１表面上に、所定のパターン、例えば矢印のパターンで表面突起を配置することによって、可視表示を多層部分の第２上面状に得ることができ、これは、多層部分における材料が軟化及び成形工程中に表面突起の領域で溶融するので、第２表面上の材料が変化するからである。そのような可視表示は、例えば介護者に吸収性物品の側部パネルを如何にして開けるかの指示を与えることができる。
【００４０】
物品の側部パネルは、例えばポリマフィルム若しくは箔、コーティングされたフィルム若しくは箔、例えばポリマコートされたフィルム若しくは箔、織布構造若しくは不織基材のような布地基材、例えばポリマコートされた布地構造を好ましく備える。側部パネルは、熱可塑性材料を好ましく備える。熱可塑性材料の例は、ポリアミド、ポリプロピレン及びポリエチレンのようなポリオレフィン、スチレン‐イソプレン‐スチレン（ＳＩＳ）のようなポリスチレン、スチレン‐ブタジエン‐スチレン（ＳＢＳ）、スチレン‐エチレン‐スチレン（ＳＥＳ）アクリロニトリル‐ブタジエン‐スチレン（ＡＢＳ）、ポリエステル、ポリカーボネート、ポリビニルクロライド（ＰＶＣ）、ポリエーテルエステル、ポリエーテルアミン、及びこれらのブレンドを備える。
【００４１】
熱可塑性の材料は、例えば充填剤、繊維、難燃剤、着色剤、等によって改質されるか、強化される場合がある。
【００４２】
側部パネルが多層、例えば２つ又は３つの層を備える積層体を備えることができることは、当業者には明白である。
【００４３】
当業において既知の吸収性物品に比較すると、本発明による固定システムを備える吸収性物品は、吸収性物品への固定、例えば面ファスナーシステムのために、接着剤を使用する必要がなく、結果的に小さな取り付け面積しか生じないという利点を有する。
【００４４】
本発明による吸収性物品の重要な利点は、可視表示及び／又は一体化された指で持ち上げる部分を有することができるという事実によって、消費者又は介護者にとって吸収性物品をより直感的に取り扱えるという事実である。たとえ表面突起が特定のパターンでなくとも、表面突起の対向側の材料は、軟化及び成形工程によって変化し、使用者、世話をする人、又は介護者が多層部を容易に見つけるのを助ける。軟化及び成形工程に晒される領域の材料は溶融し、構造及び／又は色が多層部分の材料に比べて変化する場合がある。
【００４５】
側部パネルには多層部分が設けられるので、吸収性物品に厚い側部パネルを設ける必要がない。
【００４６】
面ファスナー手段を設けられた、当業において既知の吸収性物品に比べて、本発明による吸収性物品のさらなる利点は、固定手段又は面ファスナー手段が、例えば接着不良の故に緩んでしまうというリスクがないということである。子供又は失禁症を患っている大人が緩んだ部品を口に入れるというリスクが、これによって顕著に軽減される。
【００４７】
さらに、本発明による吸収性物品の固定システムの柔軟性及び柔らかさが、面ファスナー手段を設けられた当業で既知の吸収性物品と比較して増加するので、使用者の快適性が増加する。さらに、側部パネルに可視表示、例えば側部パネル、例えば吸収性物品のベルト部分の固定タブをどのように開放し、再閉止するか、に対する指示を与える表示を設けることができる。可視表示は、側部パネルに表面突起を設けるための工程ステップによって得られるので、可視表示の適用は製造コストを増加させることがない。
【００４８】
可視表示は、ベルト式おむつにとって特に重要である。当業で既知であるベルト式おむつでは、介護者がベルト部分の開け方を理解するのは難しく、ベルト式おむつ、より具体的にはベルト式おむつのベルト部分をどのように使用するのかを理解するのが難しい。本発明による多層部分の可視表示は、ベルト部分の開け方を理解するのを助け、材料コスト又は製造のためのコストを増加させること無く、介護者にベルト式おむつ、及び特にベルト式おむつのベルト部分の使い方の指示を与えることができる。
【００４９】
本発明の第２の観点によれば、改良された固定システムを有する吸収性物品を提供するための方法が提供される。この方法は、
‐吸収性物品を提供するステップであって、吸収性物品は、長手方向、長手方向に沿って延びる長手方向中央線、及び横方向を有し、吸収性物品は第１本体部分、第２本体部分、及び第１本体部分と第２本体部分との間に配置された股部分を備え、第１本体部分又は第２本体部分の少なくとも一方は少なくとも１つの側部パネルを備えるか、又は第１本体部分及び第２本体部分のうちの少なくとも一方には少なくとも１つの側部パネルが設けられるように適合されており、少なくとも１つの側部パネルは横方向側縁を有する、ステップ；
‐少なくとも１つの側部パネル又は少なくとも１つの側部パネルの一部を折り畳むことによって、少なくとも１つの側部パネルに少なくとも１つの多層部分を設けるステップであって、前記少なくとも１つの多層部分は少なくとも第１の層（１２４）及び第２の層（１２６）を備えるとともに、第１表面（１２８）及び第２表面（１３０）を備える、ステップ；
‐複数の空洞を設けられた表面を有する成形型を提供するステップであって、空洞の少なくともいくつかが、表面突起を生成するための形状を有する、ステップ；
‐少なくとも１つの側部パネルの少なくとも１つの多層部分の第１表面を、複数の空洞を設けられた成形型の表面（３０１）に接触させるステップ；
‐少なくとも１つの多層部分の第１の層及び第２の層が接続するとともに、少なくとも１つの多層部分の材料が成形型の空洞の中に押し込まれて、少なくとも１つの多層部分の第１表面に表面突起を設けるような方法で、少なくとも１つの多層部分の少なくとも一部を軟化し、形成するために、少なくとも１つの多層部分にエネルギーを加えるステップ
を備える。第１の層の接続及び第２の層の接続、並びに表面突起の形成は、好ましくは１つのプロセスステップで得られる。
【００５０】
場合により、少なくとも１つの多層部分の第２表面にもまた、表面突起が設けられる。
【００５１】
エネルギーは、例えば、誘導加熱、超音波振動、マイクロ波、及び赤外線波から成る群から選択されたエネルギー源によって適用される。好ましくは、エネルギーは超音波振動によって適用される。
【００５２】
表面突起は、例えば特許文献１又は特許文献２に記載されたような方法を使用することによって得られる。
【００５３】
少なくとも１つの多層部分と、少なくとも１つの多層部分に所定のパターンで表面突起を設けるための成形型と、の間にマスクを適用することが好ましい場合がある。
【００５４】
多層部分を、当業で既知であるいずれかのタイプの折り畳みによって、例えば単一折り畳み、２回折り畳み、Ｚ字状折り畳みのようなアコーディオン折り畳みによって得ることができる。
【００５５】
多層部分は、側部パネルの横方向側縁に配置された多層横方向側部とすることができ、又は側部パネルの横方向側縁と、例えば側部パネルの中央における他の縁部と、の間のどこかに配置された多層部分とすることができる。
【００５６】
側部パネルは、１つ以上の多層部分、例えば２回、３回、４回、又は５回のアコーディオン折り畳みされた、例えばＺ字状折り畳みされた多層部分を備えることができる。
【００５７】
本発明の実施形態が、添付の図面を参照しつつ、さらに詳細に以下に説明される。
【図面の簡単な説明】
【００５８】
【図１】本発明の一実施形態によるパンツ式おむつを示す図である。
【図２】本発明の一実施形態によるベルト式おむつを示す図である。
【図３】本発明の一実施形態による一体型おむつを示す図である。
【図４Ａ】多層の側面部分を得るように側部パネルを折り畳む実施形態を示す図である。
【図４Ｂ】軟化及び成形工程にかけられた図４Ａの多層部分を示す図である。
【図４Ｃ】多層の側面部分を得るように側部パネルを折り畳む実施形態を示す図である。
【図４Ｄ】軟化及び形成工程にかけられた図４Ｃの多層部分を示す図である。
【図４Ｅ】多層の側面部分を得るように側部パネルを折り畳む実施形態を示す図である。
【図４Ｆ】軟化及び形成工程にかけられた図４Ｅの多層部分を示す図である。
【図５Ａ】多層の側面部分の第２表面における可視表示の実施形態を示す図である。
【図５Ｂ】多層の側面部分の第２表面における可視表示の実施形態を示す図である。
【図６Ａ】多層部分を得るためのＺ‐折り畳みの実施形態を示す図である。
【図６Ｂ】軟化及び成形工程にかけられた図６Ａの多層部分を示す図である。
【図６Ｃ】多層部分を得るためのＺ‐折り畳みの実施形態を示す図である。
【図６Ｄ】軟化及び形成工程にかけられた図６Ｃの多層部分を示す図である。
【図６Ｅ】多層部分を得るためのＺ‐折り畳みの実施形態を示す図である。
【図６Ｆ】軟化及び形成工程にかけられた図６Ｅの多層部分を示す図である。
【図７】開放前の本発明の一実施形態によるベルト式おむつを示す図である。
【図８】表面突起を有する図１〜７に示す多層部分を提供する方法の実施形態を示す図である。
【発明を実施するための形態】
【００５９】
本発明は、特定の実施形態について所定の図面を参照して記載されているが、本発明はその実施形態に限定されるものではなく、特許請求の範囲の記載によって限定される。記載された図面は概要にすぎず、限定的なものではない。図面において、構成要素のいくつかは誇張されている場合があり、図示の目的のために縮尺通りには記載されていない。寸法及び相対的な寸法は、本発明の実施のための実際の縮尺には対応していない。
【００６０】
図１は、子供又は失禁症の大人のためのパンツ式おむつ１００の形態の本発明による吸収性物品の第１実施形態を示す。パンツ式おむつ１００は、第１本体部分１０４、第２本体部分１０６、及び第１本体部分１０４と第２本体部分１０６との間の股部分１０８を備える。使用中には、第１本体部分１０４（前部分とも称される）は使用者の腹部上に配置されるのに対して、第２本体部分１０６（後部分とも称される）は使用者の背部に配置される。
【００６１】
パンツ式おむつ１００は、図１においてＹで示された長手方向と、図１においてＸで示された横方向と、を有する。パンツ式おむつ１００は、長手方向Ｙに沿って延びる長手方向中央線１０２を有する。
【００６２】
好ましくは、吸収性コア１１０が股部分１０８に配置される。吸収性コア１１０は、第１本体部分１０４中及び第２本体部分１０６中に延びることができる。
【００６３】
第１本体部分１０４は、２つの横方向に延びる側部パネル１１２、１１４を備える。第２本体部分１０６は、２つの横方向に延びる側部パネル１１６、１１８を備える。第１本体部分１０４の側部パネル１１２、１１４は、第２本体部分１０６の側部パネル１１６、１１８に解放可能に接続されている。第１本体部分１０４の少なくとも側部パネル１１２、１１４は多層部分１２２、例えば多層横方向側部１２２を備える。側部パネル１１２、１１４の多層部分１２２は、例えば図４Ａ、４Ｂ、及び４Ｃに示されるように、側部パネル１１２を折り畳むことによって得られる。代替的に、多層部分１２２は、例えば図６Ａ、６Ｃ、及び６Ｅに示されるように、側部パネル１１２、１１４を折り畳むことによって得ることができる。側部パネル１１２、１１４の多層横方向側部１２２には、解放可能にランディングゾーンと係合するように適合された表面突起１３２が設けられている。側部パネル１１２、１１４に対応する側部パネル１１６、１１８には、そのようなランディングゾーンが設けられる。側部パネル１１６、１１８が織布材料を備える場合には、側部パネル１１６、１１８の織布材料は、それ自体ランディングゾーンとして作用することができる。
【００６４】
パンツ式おむつ１００の第１本体部分１０４の側部パネル１１２、１１４に、表面突起１３２を設けられた多層部分１２２を設けることによって、及びゾーン１１６、１１８の側部パネルに、少なくとも１つのランディングソーン（図示せず）を設けることによって、例えば内容物をチェックする、又はパンツ式のおむつ１００の幅を調節するために、パンツ式おむつ１００を開放することができ、その後、再閉塞することができる。
【００６５】
図２は、ベルト式おむつ２００の形態の本発明による吸収性物品の第２実施形態を示す。ベルト式おむつ２００は、第１本体部分２０４、第２本体部分２０６、及び第１本体部分２０４と第２本体部分２０６との間の股部分２０８を備える。使用時には、第１本体部分２０４（前部分とも称される）は使用者の腹部上に配置されるのに対して、第２本体部分１０６（後部分とも称される）は使用者の背部に配置される。
【００６６】
ベルト式おむつ２００は、図２にＹで示された長手方向と、図２にＸで示された横方向と、を有する。ベルト式おむつ２００は、長手方向Ｙに沿って延びる長手方向中央線２０２を有する。
【００６７】
好ましくは、吸収性コア２１０が股部分２０８に配置される。吸収性コア２１０は、場合によっては第１本体部分２０４中及び第２本体部分２０６中に延びることができる。
【００６８】
第１本体部分２０４は、２つの側部パネル２１２、２１４を備える。好ましくは、２つの側部パネル２１２、２１４は第１本体部分２０４と同じ材料から成る。第２本体部分２０６は、２つの横方向に延びるベルト部分２１６、２１８として例示されている２つの側部パネル２１６、２１８を備える。第２本体部分２０８の横方向に延びるベルト部分２１６、２１８は、例えば、溶着又は糊付けによって第２本体部分２０８の腰部分に取り付けられる。代替的に、横方向に延びるベルト部分２１６、２１８は、第２本体部分２０６と同じ材料から成る。横方向に延びるベルト部分２１６、２１８は、ベルト式物品２００の使用者の腰部の周りに巻き付けられることを意図されており、固定手段２２１によって共に固定される。第２本体部分２０６の横方向に延びるベルト部分２１６、２１８の少なくとも一方は、固定手段２２１を備える。図２に示された実施形態では、ベルト部分２１６には固定手段２２１が設けられている。
【００６９】
固定手段２２１は多層部分２２２、例えば図４Ａ、４Ｂ、又は４Ｃに示されるような多層部分２２２、又は図６Ａ、６Ｃ、又は６Ｅに示されるような多層部分２２２を備える。多層部分２２２は、第１表面２２８及び第２表面２３０を備える。多層部分２２２の第１表面２２８には、多層部分２２２の材料から一体に形成された表面突起２３２が設けられている。
【００７０】
ベルト部分２１６、２１８のうちの少なくとも一方には、少なくとも一方のベルト部分２１６、２１８を第２本体部分２０６に取り付ける前に、多層部分２２２が設けられる。代替的に、ベルト部分２１６、２１８のうちの少なくとも一方には、ベルト式おむつ２００の製造プロセス中に、多層部分２２２が一列に並んで設けられる。横方向に延びるベルト部分２１６、２１８を固定するために、横方向に延びるベルト部分２１６、２１８はベルト式おむつ２００の使用者の腰部の周りに巻き付けられ、ベルト部分２１６の多層部分２２２の表面突起２３２が、ベルト部分２１８のランディングゾーンに解放可能に係合させられる。ベルト部分２１８が織布材料を備える場合には、この織布材料はそれ自体、ランディングゾーンとして作用する。
【００７１】
図３は、一体型おむつ３００の形態の本発明による吸収性物品の第３実施形態を示す。一体型おむつ３００は、第１本体部分３０４、第２本体部分３０６、及び第１本体部分３０４と第２本体部分３０６との間の股部分３０８を備える。使用時には、第１本体部分３０４（前部分とも称される）は使用者の腹部上に配置されるのに対して、第２本体部分３０６（後部分とも称される）は使用者の背部に配置される。
【００７２】
一体型おむつ３００は、図３にＹで示された長手方向と、図２にＸで示された横方向と、を有する。一体型おむつ３００は、長手方向Ｙに沿って延びる長手方向中央線３０２を有する。
【００７３】
好ましくは、吸収性コア３１０が股部分３０８に配置される。吸収性コア３１０は、第１本体部分３０４中及び第２本体部分３０６中に延びることができる。
【００７４】
第１本体部分３０４は、２つの側部パネル３１２、３１４を備える。好ましくは、２つの側部パネル３１２、３１４は、第１本体部分３０４と同じ材料から成る。第２本体部分３０６は、２つの側部パネル３１６、３１８、より具体的には２つの横方向に延びる固定タブ３１６、３１８を備える。第２本体部分３０８の横方向に延びる固定タブ３１６、３１８は、例えば、溶着又は糊付けによって第２本体部分３０８の腰部分に取り付けられる。横方向に延びる固定タブ３１６、３１８は、第２本体部分３０６を第１本体部分３０４に固定することを意図されている。横方向に延びる固定タブ３１６、３１８は、表面突起３３２を設けられた１つ以上の多層部分３２２を備える。多層部分３２２は、図４Ａ、４Ｂ、又は４Ｃに示されるような多層部分を備えることができ、又は代替的に図６Ｂ、６Ｄ、及び６Ｆに示されるような１つ以上の多層部分を備えることができる。
【００７５】
横方向に延びるタブ３１６、３１８には、横方向に延びるタブ３１６、３１８を第２本体部分３０６に取り付ける前に、１つ以上の多層部分３２２を設けることができる。代替的に、横方向に延びるタブ３１６、３１８には、一体型おむつ３００の製造プロセス中に、一列に並んだ１つ以上の多層部分３２２を設けることができる。
【００７６】
第１本体部分３０４には、第２本体部分３０６の固定タブ３１６、３１８の多層部分３２２の表面突起３３２の係合、好ましくは解放可能な係合を可能にする、一体型おむつ３００の外側カバー上の（図示されない）少なくとも１つのランディングゾーンが設けられる。第１本体部分３０４が不織材料を備える場合には、第１本体部分３０４の不織材料はランディングゾーンとして作用することができる。
【００７７】
図４Ａ、４Ｃ、及び４Ｅは、側部パネルを折り畳んで、多層横方向側部１２２を得る、３つの異なる実施形態を示す。図４Ｂ、４Ｄ、及び４Ｆは、一旦軟化及び成形工程にかけられた、図４Ａ、４Ｃ、及び４Ｅの多層部分を示す。
【００７８】
図４Ａの多層横方向側部１２２は、横方向縁部１２０が得られ、多層横方向側部１２２が第１の層１２４及び第２の層１２６を備え、かつ第１表面１２８及び第２表面１３０を備えるように、側部パネルの一部を折り畳むことによって得られる。図４Ｂに示す実施形態では、図４Ａの多層部分１２２は軟化及び成形工程にかけられている。軟化及び成形工程によって、第１の層１２４及び第２の層１２６は互いに対して接続され、好ましくは材料の１つの層を形成する。多層部分１２２の第１表面１２８の少なくとも一部には、同じ軟化及び成形工程によって、表面突起１３２が設けられる。表面突起１３２の寸法及び相対的寸法は誇張されており、図示の目的のために一定の縮尺では描かれていない。表面突起１３２の高さは、典型的には０．１〜０．５ｍｍの範囲にあり、例えば０．３ｍｍ又は０．４ｍｍに等しい。
【００７９】
代替として、多層部分１２２の第２表面１２６の少なくとも一部には、表面突起１３２を設けることができる。
【００８０】
図４Ｃの多層横方向側部１２２は、第１の層１２４、第２の層１２６、及び第３の層１２７を備えるとともに、第１表面１２８及び第２表面１３０を備える。図４Ｄに示される実施形態において、図４Ｃの多層部分１２２は軟化及び成形工程にかけられている。軟化及び成形工程によって、第１の層１２４、第２の層１２６、及び第３の層１２７は、互いに対して接続され、好ましくは材料の１つの層を形成する。多層部分１２２の第１表面１２８の少なくとも一部には、同じ軟化及び成形工程によって表面突起１３２が設けられる。代替例として、多層部分１２２の第２の層１２６の少なくとも一部に、表面突起１３２を設けることができる。
【００８１】
図４Ｅの多層横方向側部１２２は、第１の層１２４、第２の層１２６、第３の層１２７、及び第４の層１２９を備えるとともに、第１表面１２８及び第２表面１３０を備える。図４Ｆに示された実施形態では、図４Ｅの多層部分１２２は、軟化及び成形工程にかけられている。軟化及び成形工程によって、第１の層１２４、第２の層１２６、第３の層１２７、及び第４の層１２９は互いに対して接続され、好ましくは材料の１つの層を形成する。多層部分１２２の第１表面１２８の少なくとも一部には、同じ軟化及び成形工程によって表面突起１３２が設けられる。
【００８２】
図４Ｂ、図４Ｄ、及び図４Ｆの表面突起１３２は、所定のパターンに配置することができる。
【００８３】
多層横方向側部１２２の第１表面１２８に表面突起１３２を設けることによって、多層横方向側部の第２表面１３０には１つ以上の可視表示１３４（図４Ａ、図４Ｂ、図４Ｃには図示されていない）を設けることができる。可視表示１３４のいくつかの例が図５Ａ及び図５Ｂに与えられている。図５Ａでは、図４Ａ、図４Ｂ、及び図４Ｃに示された表面突起１３２はパターン状、例えば矢印を形成するパターンに配置され、それによって、矢印が第２表面１３０上に作り出される。図５Ｂでは、図４Ａ、図４Ｂ、及び図４Ｃに示された表面突起１３２は、第２表面１３０上に文字列を形成するパターンに配置される。
【００８４】
ここでは可視表示１３４として示される表面突起１３２が側部パネルの横方向側縁１２０から距離Ｄに配置されるとき、多層側部は側部パネル、例えば吸収性物品のベルト部分の開放を容易化する指で持ち上げる部分として機能することができる。
【００８５】
図６Ａ、図６Ｃ、及び図６Ｅは、多層部分１２２を得るための側部パネルのＺ字状折り畳み部分の３つの異なる実施形態を示す。図６Ｂ、図６Ｄ、及び図６Ｆは、多層部分１２２の異なる層を接続するため、及び多層部分１２２の第１表面１２８の少なくとも一部に表面突起１３２を設けるために、一旦、軟化及び成形工程にかけられている。表面突起１３２の寸法及び相対的寸法は誇張されており、図示の目的のために一定の縮尺では描かれていない。表面突起１３２の高さは、典型的には０．１〜０．５ｍｍの範囲であり、例えば０．３又は０．４ｍｍに等しい。
【００８６】
図６Ｂ、図６Ｄ、及び図６Ｆに示された実施形態では、多層部分１２２の異なる層は、好ましくは材料の１つの層を形成するような方法で接続されている。好ましくは、多層部分１２２の第２表面１３０には、同じ軟化及び成形工程によって１つ以上の可視表示が設けられている。
【００８７】
図６Ｂ、図６Ｄ、及び図６Ｆに示された実施形態は、図３に示された例に関して固定タブとして使用されるのに特に好適である。
【００８８】
ベルト式おむつの一方又は両方の側部パネル、例えば一方又は両方のベルト部分に、１つ以上の可視表示を設けることは特に興味深い。
【００８９】
図７は、ベルト式おむつ７００の開放前の、使用者に面することを意図された側からの、図２に示されたベルト式おむつと同様のベルト式おむつ７００を示す。
【００９０】
ベルト式おむつ７００は、第１本体部分７０４、第２本体部分７０６、及び第１本体部分７０４と第２本体部分７０６との間の股部分７０８を備える。使用中には、第１本体部分７０４（前部分とも称される）は使用者の腹部上に配置されるのに対して、第２本体部分７０６（後部分とも称される）は使用者の背部に配置される。
【００９１】
ベルト式おむつ７００は、図７にＹで示される長手方向と、図７にＸで示される横方向と、を有する。ベルト式おむつ７００は、長手方向Ｙに沿って延びる長手方向中央線７０２を有する。
【００９２】
好ましくは、吸収性コア７１０が股部分７０８に配置される。第２本体部分７０６は、２つの側部パネル７１６、７１８、より具体的には、２つの横方向に延在するベルト部分７１６、７１８を備える。図７に示すように、第１ベルト部分７１６及び第２ベルト部分７１８は、第２本体部分７０６の上に折り畳まれる。それによって、第１ベルト部分７１６は、第２ベルト部分７１８の頂面上に配置される。ベルト部分７１６、７１８は、ベルト式物品７００の使用者の腰部の周りに巻き付けられることを意図されている。ベルト部分７１６、７１８の少なくとも一方には多層部分７２２が設けられ、ここでは第１ベルト部分７１８に多層部分７２２が設けられている。多層部分７２２の一方の表面、すなわち第２本体部分７０６に向かって面する表面には、表面突起（図７には示されていない）が設けられ、他方で多層部分７２２の他方の表面、すなわち使用者に向かって面する（そして第２本体部分７０６から離れる方に面する）表面には、可視表示７３４、例えばベルト部分７１６、７１８をどのように開放するかを表示する矢印が設けられる。可視表示７３４は、使用者にベルト式おむつの使い方、特に横方向に延びるベルト部分７１６、７１８をどのように開放するかの指示を与えることができる。さらに、可視表示７３４は弱視の人にとって非常に役立つ場合がある。
【００９３】
図８は、図１〜７に示されるような多層部分１２２に、表面突起１３２を設けるための１つの例を示す。図８は、回転する成形ロールの形状にある成形型３００を開示しており、この成形型は、複数の空洞３０２を設けられた表面３０１を備え、これら空洞３０２のうちの少なくともいくつかは、表面突起１３２を形成するための形状を備える。図１〜７の側部パネルのうちの１つの多層部分１２２の第１表面１２８は、前記成形型３００の前記表面３０１に接触している。工程中には、振動源３０３が回転する成形型３００の表面３０１に極めて接近して位置付けられる。振動源３０３は、振動する超音波ホーン（ｕｌｔｒａｓｏｎｉｃ  ｈｏｒｎ）とすることができる。振動源３０３は、少なくとも１つの多層部分１２２にエネルギーを加えて、多層部分１２２が２つの層を備える場合には第１の層が第２の層に接続するような方法で、又は多層部分１２２が２つ以上の層を備える場合にはさらなる層に接続するような方法で、前記少なくとも１つの多層部分１２２の少なくとも一部を軟化するとともに形成する。多層部分１２２の材料は、多層部分１２２の前記第１表面１２８に表面突起１３２を設けるように前記空洞３０２の中に押し込まれる。
【００９４】
本発明は、多くの異なる形態で具現化することができるが、多くの図示の実施形態が、本開示が本発明の原理の例を提供するものとして考えられており、そのような例は、本発明をここに記載され、及び／又はここに図示された好ましい実施形態に限定されないとの理解で記載されている。
【符号の説明】
【００９５】
１００                            吸収性物品
１０２                            長手方向中央線
１０４                            第１本体部分
１０６                            第２本体部分
１０８                            股部分
１１２、１１４、１１６、１１８    側部パネル
１２２                            多層部分
１２４                            第１の層
１２６                            第２の層
１２７                            第３の層
１２８                            第１表面
１３０                            第２表面
１３２                            表面突起
１３４                            可視表示
３００                            成形型
３０１                            表面
３０２                            空洞
Ｘ                                横方向
Ｙ                                長手方向
【図１】
2019524218.tif 000002
【図２】
2019524218.tif 000003
【図３】
2019524218.tif 000004
【図４Ａ】
2019524218.tif 000005
【図４Ｂ】
2019524218.tif 000006
【図４Ｃ】
2019524218.tif 000007
【図４Ｄ】
2019524218.tif 000008
【図４Ｅ】
2019524218.tif 000009
【図４Ｆ】
2019524218.tif 000010
【図５Ａ】
2019524218.tif 000011
【図５Ｂ】
2019524218.tif 000012
【図６Ａ】
2019524218.tif 000013
【図６Ｂ】
2019524218.tif 000014
【図６Ｃ】
2019524218.tif 000015
【図６Ｄ】
2019524218.tif 000016
【図６Ｅ】
2019524218.tif 000017
【図６Ｆ】
2019524218.tif 000018
【図７】
2019524218.tif 000019
【図８】
2019524218.tif 000020
【手続補正書】
【提出日】平成30年5月4日(2018.5.4)
【手続補正１】
【補正対象書類名】特許請求の範囲
【補正対象項目名】全文
【補正方法】変更
【補正の内容】
【特許請求の範囲】
【請求項１】
長手方向（Ｙ）、前記長手方向（Ｙ）に沿って延びる長手方向中央線（１０２）、及び横方向（Ｘ）を有する吸収性物品（１００）であって、該吸収性物品（１００）は、第１本体部分（１０４）、第２本体部分（１０６）、及び前記第１本体部分（１０４）と前記第２本体部分（１０６）との間に配置された股部分（１０８）を備え、前記第１本体部分（１０４）及び前記第２本体部分（１０６）のうちの少なくとも一方は、少なくとも１つの側部パネル（１１２、１１４、１１６、１１８）を備えるか、又は少なくとも１つの側部パネル（１１２、１１４、１１６、１１８）を設けられるように適合され、前記少なくとも１つの側部パネル（１１２、１１４、１１６、１１８）は少なくとも１つの多層部分（１２２）を備え、前記少なくとも１つの多層部分（１２２）は、少なくとも第１の層（１２４）及び第２の層（１２６）を備え、前記少なくとも１つの多層部分は第１表面（１２８）及び第２表面（１３０）を備え、前記少なくとも１つの多層部分（１２２）は、前記側部パネル（１１２、１１４、１１６、１１８）を折り畳むことによって得られ、前記少なくとも１つの多層部分（１２２）の前記第１の層（１２４）及び前記第２の層（１２６）は互いに対して接続され、前記少なくとも１つの多層部分（１２２）の前記第１表面（１２８）の少なくとも一部には表面突起（１３２）が設けられ、前記表面突起（１３２）は、前記少なくとも１つの多層部分（１２２）の前記第１の層（１２４）及び前記第２の層（１２６）の材料から一体に作られており、前記少なくとも１つの多層部分（１２２）は、前記少なくとも１つの多層部分（１２２）の前記第１の層及び前記第２の層を同時に接続するため、及び前記少なくとも１つの多層部分（１２２）に前記表面突起（１３２）を設けるために、軟化及び形成工程にかけられる、吸収性物品（１００）。
【請求項２】
前記表面突起（１３２）は前記吸収性物品（１００）のランディングゾーンに固定されるように適合されることを特徴とする請求項１に記載の吸収性物品（１００）。
【請求項３】
前記少なくとも１つの多層部分（１２２）はＺ字状折り畳み部分を備えることを特徴とする請求項１又は２に記載の吸収性物品（１００）。
【請求項４】
前記少なくとも１つの多層部分（１２２）は、前記少なくとも１つの側部パネル（１１２、１１４、１１６、１１８）の少なくとも一部を前記長手方向中央線（１０２）に向かって折り畳むことによって得られた多層横方向側部を備えることを特徴とする請求項１〜３のいずれか一項に記載の吸収性物品（１００）。
【請求項５】
前記多層部分（１２２）の前記第２表面（１３０）には可視表示（１３４）が設けられ、該可視表示（１３４）は前記軟化及び成形工程によって得られることを特徴とする請求項２〜４のいずれか一項に記載の吸収性物品（１００）。
【請求項６】
前記表面突起（１３２）は、ピン、ストレートピン、アングルピン、湾曲ピン、テーパ付きピン、リム付き又はマルチリム付きピン、フック、リム付き又はマルチリム付きフック、マッシュルーム形状の突起、又はヤシの木状突起を備えることを特徴とする請求項１〜５のいずれか一項に記載の吸収性物品（１００）。
【請求項７】
前記少なくとも１つの多層部分（１２２）は、少なくとも第１の層（１２４）、第２の層（１２６）、及び第３の層（１２７）を備えることを特徴とする請求項１〜６のいずれか一項に記載の吸収性物品。
【請求項８】
前記吸収性物品（１００）は、パンツ式おむつ、ベルト式おむつ、又は一体型おむつを備えることを特徴とする請求項１〜７のいずれか一項に記載の吸収性物品（１００）。
【請求項９】
吸収性物品（１００）を製造する方法であって、
‐吸収性物品（１００）を提供するステップであって、前記吸収性物品（１００）は、長手方向（Ｙ）、前記長手方向（Ｙ）に沿って延びる長手方向中央線（１０２）、及び横方向（Ｘ）を有し、前記吸収性物品（１００）は第１本体部分（１０４）、第２本体部分（１０６）、及び前記第１本体部分（１０４）と前記第２本体部分（１０６）との間に配置された股部分（１０８）を備え、前記第１本体部分（１０４）及び前記第２本体部分（１０６）の少なくとも一方は少なくとも１つの側部パネル（１１６、１１８）を備えるか、又は前記第１本体部分（１０４）及び前記第２本体部分（１０６）のうちの少なくとも一方には少なくとも１つの側部パネル（１１６、１１８）が設けられるように適合されている、ステップ；
‐前記少なくとも１つの側部パネルを折り畳むことによって、前記少なくとも１つの側部パネル（１１６、１１８）に少なくとも１つの多層部分（１２２）を設けるステップであって、前記少なくとも１つの多層部分（１２２）は、少なくとも第１の層（１２４）及び第２の層（１２６）を備えるとともに、第１表面（１２８）及び第２表面（１３０）を備える、ステップ；
‐複数の空洞（３０２）を設けられた表面（３０１）を備える成形型（３００）を提供するステップであって、前記空洞（３０２）の少なくともいくつかが、表面突起（１３２）を生成するための形状を備える、ステップ；
‐前記少なくとも１つの側部パネル（１１６、１１８）の前記少なくとも１つの多層部分（１２２）の前記第１表面（１２８）を、複数の空洞（３０２）を設けられた前記成形型（３００）の前記表面（３０１）に接触させるステップ；及び
‐前記第１の層（１２４）が前記第２の層（１２６）に接続するとともに、前記少なくとも１つの多層部分（１２２）の材料が前記空洞（３０２）の中に押し込まれて前記多層部分（１２２）の前記第１表面（１２８）に表面突起（１３２）を設けるような方法で、前記少なくとも１つの多層部分（１２２）の少なくとも一部を軟化し、かつ形成するために、前記少なくとも１つの多層部分（１２２）にエネルギーを加えるステップ
を備える、方法。
【請求項１０】
前記エネルギーは、誘導加熱、超音波振動、マイクロ波、及び赤外線波から成る群から選択されたエネルギー源によって加えられることを特徴とする請求項９に記載の方法。
【国際調査報告】
2019524218.tif 000021
2019524218.tif 000022